(57)【要約】【課題】エレベータ利用者がエレベータを利用するために使用する識別媒体であって、使用態様の異なる識別媒体を一つのエレベータ装置において使用できるようにする。【解決手段】エレベータ装置は、エレベータ利用者が携帯する識別媒体２に記録されている識別媒体２を識別するための第１情報を読み取る読取装置３ａ、３ｂ、３ｃ、６と、第１情報と同じ内容の第２情報とこの第２情報に関係付けられたエレベータ利用情報とを記憶する記憶部１０ｃと、読取装置３ａ、３ｂ、３ｃ、６で識別媒体２の第１情報を読み取った場合に、読み取った第１情報と同じ内容の第２情報に関係付けられたエレベータ利用情報を記憶部１０ｃから呼び出し、呼び出したエレベータ利用情報に応じた登録許可信号を生成する信号生成部１０ｂと、登録許可信号が入力され、入力された登録許可信号を用いて乗りかご１の呼びを登録するエレベータ制御装置１１と、を備える。【選択図】    図１
2009215008.tif 000002
【特許請求の範囲】
【請求項１】
エレベータ乗場と乗りかご内との少なくとも一方に設置され、エレベータ利用者が携帯する識別媒体に記録されている前記識別媒体を識別するための第１情報を読み取る読取装置と、
前記第１情報と同じ内容の第２情報とこの第２情報に関係付けられたエレベータ利用情報とを記憶する記憶部と、
前記読取装置で前記識別媒体の前記第１情報を読み取った場合に、読み取った前記第１情報と同じ内容の前記第２情報に関係付けられた前記エレベータ利用情報を前記記憶部から呼び出し、呼び出した前記エレベータ利用情報に応じた登録許可信号を生成する信号生成部と、
前記登録許可信号が入力され、入力された登録許可信号を用いて乗りかごの呼びを登録するエレベータ制御装置と、
を備えることを特徴とするエレベータ装置。
【請求項２】
前記記録部内に記録されている前記第２情報と前記エレベータ利用情報との変更及び消去を行なえる情報変更・消去部を備えることを特徴とする請求項１記載のエレベータ装置。
【請求項３】
前記エレベータ制御装置は、乗場呼びとかご呼びとを自動登録する自動登録許可信号が入力された場合、その呼びを自動登録する前にエレベータ利用者が乗場呼びとかご呼びとの登録を行なえる一定時間を確保する手段を備えることを特徴とする請求項１又は２記載のエレベータ装置。
【請求項４】
エレベータ利用者が乗場呼びとかご呼びとの登録を行なえる一定時間が確保されている場合に、呼びの登録が可能であることをエレベータ利用者に報知する報知部を備えることを特徴とする請求項３記載のエレベータ装置。
【発明の詳細な説明】
【技術分野】
【０００１】
本発明は、エレベータ装置に関し、特に、エレベータ利用者が携帯する識別媒体に記録されている情報を読取装置で読み取り、その読取結果に応じて乗場呼びやかご呼びを可能とするエレベータ装置に関する。
【背景技術】
【０００２】
従来、ＦＲＩＤ（Radio Frequency Identification）タグ（以下、ＩＤタグという。）をエレベータ利用者が携帯し、エレベータ乗場や乗りかご内にＩＤタグの読取装置（以下、タグリーダという）を設置し、タグリーダによるＩＤタグの読取結果により、エレベータ乗場での乗場呼びや、乗りかご内でのかご呼びを可能としたエレベータ装置が知られている（例えば、特許文献１参照）。
【０００３】
また、エレベータを乗込階（例えは、玄関などが設置された階）と目的階（例えば、居住階）との間の往復移動にのみ利用する場合においては、乗りかごをエレベータ乗場に呼ぶ乗場呼びと、乗りかごの行先階を指定するかご呼びとを、ＩＤタグの読取結果により自動的に登録できるようにしたエレベータ装置が知られている（例えば、特許文献２参照）。
【特許文献１】特開２００３−３４１９４５号公報
【特許文献２】特開２００５−２５５３２０号公報
【発明の開示】
【発明が解決しようとする課題】
【０００４】
上述したＩＤタグを利用した従来のエレベータ装置では、ＩＤタグにエレベータの利用情報（例えば、エレベータの利用許可情報、利用階情報、自動登録の有無情報等）を記録している。
【０００５】
しかし、ＩＤタグに記録できる利用情報の数には制限があるため、１つのエレベータ装置において、複数階への移動に利用できるＩＤタグと、乗場呼び及びかご呼びの自動登録を行なって乗込階と目的階との間の往復移動に利用できるＩＤタグとのように、使用態様の異なるＩＤタグを使用することはできなかった。
【０００６】
また、ＩＤタグにエレベータの利用情報が記録されていることにより、ＩＤタグを紛失した場合には、紛失したＩＤタグを複製し、複製したＩＤタグを読み取った後でないと紛失したＩＤタグの利用停止措置をとることができない。したがって、ＩＤタグの紛失に気付いてからそのＩＤタグの利用を停止させるまでに時間がかかり、セキュリティーの面で問題となっていた。
【０００７】
さらに、乗場呼び及びかご呼びの自動登録を行って乗込階と目的階との間の往復移動にのみ利用するＩＤタグの場合には、このＩＤタグを使用して目的階以外の階、例えば、駐車場がある地下階へ行くことができないという問題があった。
【０００８】
本発明はこのような課題を解決するためになされたもので、その目的は、エレベータ利用者がエレベータを利用するために使用する識別媒体であって、使用態様の異なる識別媒体を一つのエレベータ装置において使用できるようにすることである。
【０００９】
また、本発明の別の目的は、識別媒体を紛失した場合に、紛失した識別媒体についての利用停止の措置を迅速に行なうことができるようにすることである。
【課題を解決するための手段】
【００１０】
本発明の実施の形態に係る第１の特徴は、エレベータ装置において、エレベータ乗場と乗りかご内との少なくとも一方に設置され、エレベータ利用者が携帯する識別媒体に記録されている前記識別媒体を識別するための第１情報を読み取る読取装置と、前記第１情報と同じ内容の第２情報とこの第２情報に関係付けられたエレベータ利用情報とを記憶する記憶部と、前記読取装置で前記識別媒体の前記第１情報を読み取った場合に、読み取った前記第１情報と同じ内容の前記第２情報に関係付けられた前記エレベータ利用情報を前記記憶部から呼び出し、呼び出した前記エレベータ利用情報に応じた登録許可信号を生成する信号生成部と、前記登録許可信号が入力され、入力された登録許可信号を用いて乗りかごの呼びを登録するエレベータ制御装置と、を備えることである。
【発明の効果】
【００１１】
本発明によれば、エレベータ利用者がエレベータを利用するために使用する識別媒体であって、使用態様の異なる識別媒体を一つのエレベータ装置において使用することができる。
【発明を実施するための最良の形態】
【００１２】
以下、本発明の実施の形態を図面を用いて説明する。
【００１３】
（第１の実施の形態）
図１は、本発明の第１の実施の形態に係るエレベータ装置の概略を示す模式図である。このエレベータ装置は、上階と中階と下階とを有する３階建ての建物に設置されており、乗りかご１が下階と上階との間を昇降可能に設けられている。このエレベータ装置を利用するエレベータ利用者は、識別媒体であるＩＤタグ２を携帯し、ＩＤタグ２には、個々のＩＤタグ２を識別するための識別情報とエレベータ装置の利用許可情報とから構成される第１情報が記録されている。
【００１４】
下階のエレベータ乗場には、エレベータ利用者が携帯するＩＤタグ２に記録されている第１情報を読み取る読取装置であるタグリーダ３ａと、乗りかご１の行先方向を指示する乗場釦４を備えた操作盤５ａとが設けられている。中階のエレベータ乗場には下階と同様に、読取装置であるタグリーダ３ｂと操作盤５ｂとが設けられている。上階のエレベータ乗場にも下階、中階と同様に、読取装置であるタグリーダ３ｃと操作盤５ｃとが設けられている。
【００１５】
乗りかご１内には、読取装置であるタグリーダ６と、乗りかご１の行先階を指示する行先階釦７を備えた操作盤８とが設けられている。タグリーダ６は、エレベータ乗場に設けられているタグリーダ３ａ、３ｂ、３ｃと同様に、エレベータ利用者が携帯するＩＤタグ２に記録されている第１情報を読み取る。
【００１６】
乗りかご１の下部には、乗りかご１の重量を検出する重量検出部９が設けられている。乗りかご１の重量とは、乗りかご１自体の重量と、乗りかご１に乗車しているエレベータ利用者の重量とを合わせた重量を意味する。
【００１７】
さらに、エレベータ装置には、タグリーダ３ａ、３ｂ、３ｃ、６を制御するためのタグリーダ制御装置１０と、乗りかご１の呼び（乗場呼び、かご呼び）を登録して乗りかご１の昇降を制御するエレベータ制御装置１１が設けられている。
【００１８】
タグリーダ制御装置１０には、タグリーダ３ａ、３ｂ、３ｃ、６が信号通信路を介して接続されており、タグリーダ３ａ、３ｂ、３ｃ、６により読み取られたＩＤタグ２の第１情報がタグリーダ制御装置１０に入力される。
【００１９】
図２の（ａ）、（ｂ）、（ｃ）は、個々のＩＤタグ２に記録されている第１情報の構成例を示している。各ＩＤタグ２の第１情報は、第１のビット＜０＞から第８のビット＜７＞までの８個のビットにより構成されている。このうち、＜０＞から＜６＞までの７個のビットが、個々のＩＤタグ２の識別情報を表わし、＜７＞のビットが、各ＩＤタグ２のエレベータ装置の利用許可情報を表わす。＜７＞のビットが“１”である場合には、このＩＤタグ２がエレベータ装置の利用を許可されていることを意味し、エレベータ装置の利用が許可されたＩＤタグ２については、そのＩＤタグ２の第１情報をタグリーダ３ａ、３ｂ、３ｃ、６が読み取ることができる。
【００２０】
図１に戻って、タグリーダ制御装置１０の内部構成について説明する。タグリーダ制御装置１０は、信号入力部１０ａと、信号生成部である演算処理部１０ｂと、記憶部であるＲＡＭ１０ｃと、信号出力部１０ｄとを備えている。
【００２１】
信号入力部１０ａには、タグリーダ３ａ、３ｂ、３ｃ、６が接続されている。タグリーダ３ａ、３ｂ、３ｃ、６により読み取られたＩＤタグ２の第１情報は、信号入力部１０ａを介して演算処理部１０ｂに入力される。また、ＩＤタグ２の読み取りを行なったタグリーダ３ａ、３ｂ、３ｃ、６を特定する信号（リーダ特定信号）が各タグリーダ３ａ、３ｂ、３ｃ、６から出力され、このリーダ特定信号も信号入力部１０ａを介して演算処理部１０ｂに入力される。
【００２２】
ＲＡＭ１０ｃは、演算処理部１０ｂに接続されている。このＲＡＭ１０ｃには各ＩＤタグ２に対応する情報が記録されており、具体的には、各ＩＤタグ２に記録されている第１情報と同じ内容の第２情報、及び、その第２情報に関係付けられたエレベータ利用情報（利用階情報、自動登録の有無情報）が記録されている。なお、第２情報と関係付けられているエレベータ利用情報とは、或る第２情報が呼び出された場合、その第２情報の呼び出しに続けて呼び出される関係にあるエレベータ利用情報を意味する。
【００２３】
演算処理部１０ｂには、信号入力部１０ａとＲＡＭ１０ｃと信号出力部１０ｄとが接続されている。演算処理部１０ｂでは、タグリーダ３ａ、３ｂ、３ｃ、６で読み取ったＩＤタグ２の第１情報と同じ内容の第２情報がＲＡＭ１０ｃに記録されているか否かが照合され、同じ内容の第２情報が記録されていた場合には、その第２情報に関係付けられてＲＡＭ１０ｃに記録されているエレベータ利用情報が呼び出され、呼び出したエレベータ利用情報に応じて登録許可信号が生成される。
【００２４】
信号出力部１０ｄは、演算処理部１０ｂと後述するエレベータ制御装置１１の信号入出力部１１ａとに接続され、演算処理部１０ｂで生成された各種の登録許可信号が信号出力部１０ｄからエレベータ制御装置１１の信号入出力部１１ａに出力される。
【００２５】
つぎに、エレベータ制御装置１１の内部構成について説明する。エレベータ制御装置１１は、信号入出力部１１ａと、演算処理部１１ｂと、ＲＯＭ１１ｃと、ＲＡＭ１１ｄとを備えている。
【００２６】
信号入出力部１１ａには、各階に設けられた操作盤５ａ、５ｂ、５ｃと、乗りかご１内に設けられた操作盤８と、タグリーダ制御装置１０の信号出力部１０ｄと、乗りかご１の重量検出部９と、かご位置検出部１２と、巻上機１３とが接続されている。
【００２７】
操作盤５ａ、５ｂ、５ｃからは乗場呼び信号が出力され、この乗場呼び信号が信号入出力部１１ａを介して演算処理部１１ｂに入力される。操作盤８からはかご呼び信号が出力され、このかご呼び信号が信号入出力部１１ａを介して演算処理部１１ｂに入力される。信号出力部１０ｄからは演算処理部１０ｂで生成された登録許可信号が出力され、この登録許可信号が信号入出力部１１ａを介して演算処理部１１ｂに入力される。重量検出部９からは乗りかご１の重量の信号が出力され、この信号が信号入出力部１１ａを介して演算処理部１１ｂに入力される。かご位置検出部１２からは乗りかご１の位置の信号が出力され、この信号が信号入出力部１１ａを介して演算処理部１１ｂに入力される。巻上機１３に対しては、演算処理部１１ｂで演算された乗りかご１の移動量に応じた信号が出力される。
【００２８】
演算処理部１１ｂには、信号入出力部１１ａと、ＲＯＭ１１ｃと、ＲＡＭ１１ｄとが接続されている。演算処理部１１ｂでは、信号入出力部１１ａを介して入力される各種の信号に基づき、ＲＯＭ１１ｃに格納されたプログラムを用いて巻上機１３の駆動量が演算される。演算された駆動量は、信号入出力部１１ａを介して巻上機１３に出力され、巻上機１３が駆動される。
【００２９】
ＲＯＭ１１ｃには、演算処理部１１ｂで各種処理を実行するためのプログラム、例えば、入力された各種の信号に基づき巻上機１３の駆動量を演算するためのプログラムが格納されている。ＲＡＭ１１ｄは、入力された各種の信号を一時的に保存する領域として用いられる。
【００３０】
図３は、演算処理部１０ｂで行われる登録許可信号を生成するための処理を模式的に表わす説明図である。なお、ここでの説明では、エレベータ利用者が下階から乗りかご１に乗込み、上階に行く場合であって、エレベータ利用者が携帯しているＩＤタグ２が全ての階（下階、中階、上階）で乗り降りできるものであり、乗場呼び及びかご呼びの自動登録はできない場合を想定して説明する。
【００３１】
図３（ａ）は、下階のタグリーダ３ａで読み取られ、信号入力部１０ａを介して演算処理部１０ｂに入力されたＩＤタグ２の第１情報の構成を示したものである。図２（ａ）に示したＩＤタグ２の第１情報の構成と同じである。
【００３２】
図３（ｂ）は、ＲＡＭ１０ｃに記録されている第２情報の一つであって、タグリーダ３ａで読み取られた第１情報と同じ内容の情報を示している。この第２情報は、演算処理部１０ｂにより照合されて検出される。
【００３３】
図３（ｃ）は、ＲＡＭ１０ｃに記録されている情報であって、演算処理部１０ｂにより照合されて検出された図３（ｂ）の第２情報と関係付けられているエレベータ利用情報（利用階情報、自動登録の有無情報）の構成を示している。
【００３４】
図３（ｃ）に示すエレベータ利用情報は、以下に説明するように構成されている。ビット＜０＞＜１＞は、乗場呼び利用可能階の情報を表わしている。具体的には、“１、１”であるので、全ての階（下階、中階、上階）で乗場呼びができることを表わしている。ビット＜２＞＜３＞は、乗場呼び自動登録階の情報を表わしている。具体的には、“０、０”であるので、どの階でも乗場呼びの自動登録ができないことを表わしている。ビット＜４＞＜５＞は、かご呼び利用可能階の情報を表わしている。具体的には、“１、１”であるので、どの階へもかご呼びができることを表わしている。ビット＜６＞＜７＞は、かご呼び自動登録階の情報を表わしている。具体的には、“０、０”であるので、どの階へもかご呼びの自動登録ができないことを表わしている。
【００３５】
図４は、タグリーダ制御装置１０の信号出力部１０ｄからエレベータ制御装置１１の信号入出力部１１ａに出力される各種の登録許可信号を示す説明図である。このエレベータ装置では、タグリーダ３ａ、３ｂ、３ｃ、６によりＩＤタグ２の第１情報が読み取られると、その読取結果に応じて演算処理部１０ｂにおいて登録許可信号が生成され、生成された登録許可信号が信号入出力部１１ａに対して出力される。出力される登録許可信号としては、上階かご呼び登録許可信号（１ｈ）、中階かご呼び登録許可信号（１ｊ）、下階かご呼び登録許可信号（１ｋ）、上階乗り場呼び登録許可信号（１ｌ）、中階乗場呼び登録許可信号（１ｍ）、下階乗場呼び登録許可信号（１ｎ）、上階かご呼び自動登録許可信号（１ｐ）、中階かご呼び自動登録許可信号（１ｑ）、下階かご呼び自動登録許可信号（１ｒ）、上階乗場呼び自動登録許可信号（１ｓ）、中階乗場呼び自動登録許可信号（１ｔ）、下階乗場呼び自動登録許可信号（１ｕ）の少なくとも一つである。
【００３６】
この実施の形態で想定しているように、エレベータ利用者が下階の乗場に来て、そのエレベータ利用者が携帯しているＩＤタグ２が全ての階で乗り降りができるものであり、かつ、乗場呼び及びかご呼びの自動登録はできない場合には、タグリーダ３ａでのＩＤタグ２の第１情報の読取結果に応じ、上階かご呼び登録許可信号（１ｈ）と、中階かご呼び登録許可信号（１ｊ）と、下階かご呼び登録許可信号（１ｋ）と、下階乗場呼び登録許可信号（１ｎ）とが、信号出力部１０ｄから信号入出力部１１ａに対して出力される。
【００３７】
ここで、エレベータ利用者が乗りかご１を使用して下階から上階へ移動する場合の一連の動作について、図５のフローチャートを参照して説明する。
【００３８】
まず、エレベータ利用者が下階のタグリーダ３ａにＩＤタグ２をかざすことにより、ＩＤタグ２に記録されている第１情報の読み取りが行なわれる（Ｓ１）。
【００３９】
読み取られた第１情報は、信号入力部１０ａを介してタグリーダ制御装置１０の演算処理部１０ｂに入力され、ＲＡＭ１０ｃ内に第１情報と同じ内容の第２情報が記録されているか否かが照合される（Ｓ２）。
【００４０】
第１情報と同じ内容の第２情報が記録されていることが照合された場合には、その第２情報と関係付けられているエレベータ利用情報がＲＡＭ１０ｃから呼び出され（Ｓ３）、呼び出されたエレベータ利用情報に応じた登録許可信号が演算処理部１０ｂにおいて生成され（Ｓ４）、生成された登録許可信号が信号出力部１０ｄから信号入出力部１１ａに対して出力される（Ｓ５）。この場合に生成及び出力される登録許可信号は、上階かご呼び登録許可信号（１ｈ）、中階かご呼び登録許可信号（１ｊ）、下階かご呼び登録許可信号（１ｋ）、下階乗場呼び登録許可信号（１ｎ）である。
【００４１】
下階の乗場にいるエレベータ利用者により下階の操作盤５ａの乗場釦４が押圧操作されると（Ｓ６）、この場合、下階乗場呼び登録許可信号（１ｎ）が出力されているので、下階での乗場呼びが演算処理部１１ｂにおいて登録され（Ｓ７）、乗りかご１が下階に向けて走行する（Ｓ８）。なお、この場合の乗りかご１の走行に際しては、かご位置検知部１２での検知結果に基づき、巻上機１３の駆動量が演算処理部１１ｂで演算され、その演算結果により巻上機１３が駆動され、乗りかご１が下階へ走行する。
【００４２】
乗りかご１が下階に到着すると、乗りかご１のかごドアが開放され、エレベータ利用者は乗りかご１に乗り込むことができる。エレベータ利用者が乗りかご１に乗り込むと、荷重検出部９での検知結果に基づいてエレベータ利用者が乗りかご１に乗り込んだことが演算処理部１１ｂで判定され（Ｓ９）、かごドアが閉止される。
【００４３】
乗りかご１に乗り込んだエレベータ利用者により操作盤８の行先階釦７（上階の釦）が押圧操作されると（Ｓ１０）、この場合、上階かご呼び登録許可信号（１ｈ）が出力されているので、上階のかご呼びが演算処理部１１ｂにおいて登録され（Ｓ１１）、乗りかご１が上階に向けて走行する（Ｓ１２）。なお、この場合の乗りかご１の走行に際しては、かご位置検知部１２での検知結果に基づき、巻上機１３の駆動量が演算処理部１１ｂで演算され、その演算結果により巻上機１３が駆動され、乗りかご１が上階へ走行する。
【００４４】
以上のようにして、下階から上階へエレベータ利用者が運ばれる。
【００４５】
つぎに、この第１の実施の形態において、エレベータ利用者が携帯するＩＤタグ２が、下階と上階との間の往復移動にのみ利用するものであって、かつ、乗場呼びとかご呼びとの自動登録を行なえるもである場合において、エレベータ利用者が乗りかご１を使用して下階から上階へ移動する場合の一連の動作について、図６のフローチャートを参照して説明する。
【００４６】
まず、エレベータ利用者が下階のタグリーダ３ａにＩＤタグ２をかざすことにより、ＩＤタグ２に記録されている第１情報の読み取りが行なわれる（Ｓ２１）。
【００４７】
読み取られた第１情報は、信号入力部１０ａを介してタグリーダ制御装置１０の演算処理部１０ｂに入力され、ＲＡＭ１０ｃ内に第１情報と同じ内容の第２情報が記録されているか否かが照合される（Ｓ２２）。
【００４８】
第１情報と同じ内容の第２情報が記録されていることが照合された場合には、その第２情報と関係付けられているエレベータ利用情報がＲＡＭ１０ｃから呼び出され（Ｓ２３）、呼び出されたエレベータ利用情報に応じた登録許可信号が演算処理部１０ｂにおいて生成され（Ｓ２４）、生成された登録許可信号が信号出力部１０ｄから信号入出力部１１ａに対して出力される（Ｓ２５）。この場合に生成及び出力される登録許可信号は、下階乗場呼び自動登録許可信号（１ｕ）、上階かご呼び自動登録許可信号（１ｐ）である。
【００４９】
下階乗場呼び自動登録許可信号（１ｕ）が出力されることにより、下階の乗場呼びが演算処理部１１ｂにおいて自動登録され（Ｓ２６）、乗りかご１が下階に向けて走行する（Ｓ２７）。なお、この場合の乗りかご１の走行に際しては、かご位置検知部１２での検知結果に基づき、巻上機１３の駆動量が演算処理部１１ｂで演算され、その演算結果により巻上機１３が駆動され、乗りかご１が下階へ走行する。
【００５０】
乗りかご１が下階に到着すると、乗りかご１のかごドアが開放され、エレベータ利用者は乗りかご１に乗り込むことができる。エレベータ利用者が乗りかご１に乗り込むと、荷重検出部９での検知結果に基づいてエレベータ利用者が乗りかご１に乗り込んだことが演算処理部１１ｂで判定され（Ｓ２８）、かごドアが閉止される。
【００５１】
乗りかご１に乗り込んでかごドアが閉止された後、上階かご呼び自動登録許可信号が出力されていることにより、上階へのかご呼びが演算処理部１１ｂにおいて自動登録され（Ｓ２９）、乗りかご１が上階に向けて走行する（Ｓ３０）。なお、この場合の乗りかご１の走行に際しては、かご位置検知部１２での検知結果に基づき、巻上機１３の駆動量が演算処理部１１ｂで演算され、その演算結果により巻上機１３が駆動され、乗りかご１が上階へ走行する。
【００５２】
以上のようにして、下階から上階へエレベータ利用者が運ばれる。
【００５３】
このような構成において、このエレベータ装置によれば、各エレベータ利用者が携帯するＩＤタグ２には各ＩＤタグ２の識別情報とエレベータ装置の利用許可情報とからなる第１情報のみを記録し、個々のＩＤタグ２に記録されている第１情報と同じ内容の第２情報と、その第２情報に関係付けられたエレベータ利用情報とがタグリーダ制御装置１０のＲＡＭ１０ｃに記録している。このため、ＩＤタグ２に記録する情報の種類が少なくなり、一つのエレベータ装置で使用態様の異なるＩＤタグ２を使用することができるようになる。一つのエレベータ装置で使用できる使用態様の異なるＩＤタグ２としては、例えば、複数階について乗場呼びやかご呼びを可能にしたＩＤタグ２や、乗場呼び及びかご呼びの自動登録を行なって乗込階と目的階との間の往復移動にのみ利用するＩＤタグ２等である。
【００５４】
（第２の実施の形態）
本発明の第２の実施の形態に係るエレベータ装置について、図７を参照して説明する。なお、第２の実施の形態及び以下に説明する他の実施の形態において、第１の実施の形態の構成要素と同じ構成要素には同じ符号を付し、重複する説明は省略する。
【００５５】
第２の実施の形態に係るエレベータ装置の基本的構成は、第１の実施の形態のエレベータ装置と同じである。第２の実施の形態のエレベータ装置と第１の実施の形態のエレベータ装置との異なる点は、第２の実施の形態のエレベータ装置に情報変更・消去部２１が設けられている点である。
【００５６】
情報変更・消去部２１は、信号入力部１０ａを介して演算処理部１０ｂに接続されている。
【００５７】
情報変更・消去部２１は、ＲＡＭ１０ｃに記録されている情報であって、図３（ｂ）に示した第２情報（エレベータ装置の利用許可情報、識別情報）、及び、図３（ｃ）に示したエレベータ利用情報（利用階情報、自動登録の有無情報）を演算処理部１０ｂに呼び出し、その情報を変更したり、消去したりすることができる。
【００５８】
このような構成において、ＩＤタグ２を携帯しているエレベータ利用者が、エレベータを利用する階や、ＩＤタグ２の使用形態を変更する場合には、情報変更・消去部２１でＲＡＭ１０ｃに記録されている情報（第２情報やエレベータ利用情報）を書き替えることにより、ＩＤタグ２を用いて利用できる階や、ＩＤタグ２の使用形態を変更することができる。例えば、図３（ｃ）のエレベータ利用情報におけるビット＜４＞＜５＞の情報を書き替えることにより、かご呼び利用可能階を変更することができる。また、図３（ｃ）のエレベータ利用情報におけるビット＜６＞＜７＞の情報を変更することにより、かご呼びの自動登録を可能とすることができる。
【００５９】
さらに、ＩＤタグ２を紛失した場合には、ＲＡＭ１０ｃに記録されている第２情報であって、紛失したＩＤタグ２に記録されてる第１情報と同じ内容の情報を呼び出し、その第２情報のビット＜７＞の情報を“１”から“０”に変更することにより、紛失したＩＤタグ２の利用停止措置をとることができる。このため、ＩＤタグ２の紛失に気付いてからそのＩＤタグ２の利用を停止させるまでに要する時間が短くなり、ＩＤタグ２の紛失時におけるセキュリティ性能を向上させることができる。
【００６０】
（第３の実施の形態）
本発明の第３の実施の形態に係るエレベータ装置について、図８のフローチャートに基づいて説明する。なお、第３の実施の形態に係るエレベータ装置の基本的な構成は第１の実施の形態のエレベータ装置と同じであり、エレベータ装置の全体構成は図１を援用して説明する。第３の実施の形態のエレベータ装置では、ＩＤタグ２の第１情報の読取結果に応じて乗場呼び自動登録信号やかご呼び自動登録許可信号が演算処理部１１ｂに入力された場合に、その自動登録を予め設定された一定時間行わず、エレベータ利用者が呼び登録を行う時間を確保する手段を備えている。この手段は、演算処理部１１ｂ内での処理により実現される。
【００６１】
以下、ここでの説明では、エレベータ利用者が携帯するＩＤタグ２は、上階と中階と下階との利用が可能であり、かつ、上階と下階とで乗場呼び自動登録及びかご呼び自動登録が可能であるとする。そして、このエレベータ利用者が、下階から乗りかご１に乗込み、中階で乗りかご１から降りる場合を想定して説明する。
【００６２】
まず、エレベータ利用者が下階のタグリーダ３ａにＩＤタグ２をかざすことにより、ＩＤタグ２に記録されている第１情報の読み取りが行なわれる（Ｓ４１）。
【００６３】
読み取られた第１情報は、信号入力部１０ａを介してタグリーダ制御装置１０の演算処理部１０ｂに入力され、ＲＡＭ１０ｃ内に第１情報と同じ内容の第２情報が記録されているか否かが照合される（Ｓ４２）。
【００６４】
第１情報と同じ内容の第２情報が記録されていることが照合された場合には、その第２情報と関係付けられているエレベータ利用情報がＲＡＭ１０ｃから呼び出され（Ｓ４３）、呼び出されたエレベータ利用情報に応じた登録許可信号が演算処理部１０ｂにおいて生成され（Ｓ４４）、生成された登録許可信号が信号出力部１０ｄから信号入出力部１１ａに対して出力される（Ｓ４５）。この場合に生成及び出力される登録許可信号は、上階かご呼び登録許可信号（１ｈ）、中階かご呼び登録許可信号（１ｊ）、下階かご呼び登録許可信号（１ｋ）、下階乗場呼び登録許可信号（１ｎ）、上階かご呼び自動登録許可信号（１ｐ）、下階乗場呼び自動登録許可信号（１ｕ）である。
【００６５】
下階乗場呼び自動登録許可信号（１ｕ）が出力されることにより、下階の乗場呼びが演算処理部１１ｂにおいて自動登録され（Ｓ４６）、乗りかご１が下階に向けて走行する（Ｓ４７）。なお、この場合の乗りかご１の走行に際しては、かご位置検知部１２での検知結果に基づき、巻上機１３の駆動量が演算処理部１１ｂで演算され、その演算結果により巻上機１３が駆動され、乗りかご１が下階へ走行する。
【００６６】
乗りかご１が下階に到着すると、乗りかご１のかごドアが開放され、エレベータ利用者は乗りかご１に乗り込むことができる。エレベータ利用者が乗りかご１に乗り込むと、荷重検出部９での検知結果に基づいてエレベータ利用者が乗りかご１に乗り込んだことが演算処理部１１ｂで判定され（Ｓ４８）、かごドアが閉止される（Ｓ４９）。
【００６７】
かごドアが閉止された後、予め設定した一定時間が経過したか否かが判断され（Ｓ５０）、及び、乗りかご１内の操作盤８の行先階釦７が押圧されたか否かが判断される（Ｓ５１）。そして、これらのステップＳ５０とステップＳ５１との処理により、かご呼びを自動登録する前にエレベータ利用者がかご呼びの登録を行える一定時間が確保される。なお、このステップＳ５０の判定とステップＳ５１の判定とは、どちらから先に開始してもよい。
【００６８】
設定時間が経過する前に（Ｓ５０のＮＯ）、中階の行先階釦７が押されることにより（Ｓ５１のＹＥＳ）、中階を行先階とするかご呼びが演算処理部１１ｂにおいて登録され（Ｓ５２）、乗りかご１が登録階（中階）に向けて走行する（Ｓ５３）。
【００６９】
なお、行先階釦７が押されず（Ｓ５１のＮＯ）、一定時間が経過した場合は（Ｓ５０のＹＥＳ）、上階かご呼び自動登録許可信号（１ｐ）に基づいて上階に向けたかご呼びが演算処理部１１ｂにおいて自動登録され（Ｓ５４）、乗りかご１が自動登録階階（上階）に向けて走行する（Ｓ５５）。
【００７０】
このような構成において、この第３の実施の形態によれば、エレベータ利用者が携帯するＩＤタグ２が、かご呼びの自動登録を行えるものであっても、エレベータ利用者は、かご呼びが自動登録されている階以外の階にも行くことが可能となる。これにより、かご呼びの自動登録機能を備えたＩＤタグ２を携帯するエレベータ利用者にとって、そのＩＤタグ２の使い勝手がよくなる。
【００７１】
なお、本実施の形態では、かご呼び自動登録が許可されている場合について説明したが、乗場呼び自動登録が許可されている場合についても同様に、ＩＤタグ２の第１情報を読み取った後の予め設定された一定時間乗場呼び自動登録を行わず、エレベータ利用者が乗場呼びの登録操作を行う時間を確保することができれる。
【００７２】
例えば、玄関階が中階にあり、目的階が上階にあり、中階と上階とで乗場呼び自動登録が許可されている場合などである。この場合、エレベータ利用者が中階のエレベータ乗場でＩＤタグ２の読取りを行なうと、ＩＤタグ２を読取った後の演算処理部１０ｂでの演算処理により中階呼び自動登録許可信号がエレベータ制御装置１１に出力されても、直ちに上向きの乗場呼び自動登録を行なわず、一定時間、エレベータ利用者が中階の操作盤５ｂを登録操作する時間が確保される。その時間内に、エレベータ利用者が操作盤５ｂの乗場釦４を押せば、押した操作釦４の方向に向けて乗場呼びが登録される。これにより、下階に駐車場がある場合等において、エレベータ利用者は乗場呼び自動登録がされる階と逆方向へ乗場呼びすることができる。
【００７３】
（第４の実施の形態）
本発明の第４の実施の形態を、図９に基づいて説明する。なお、本実施の形態の基本的構成は第３の実施の形態と同じであり、本実施の形態が第３の実施の形態と異なる点は、かご呼びの自動登録を予め設定された一定時間行わず、エレベータ利用者がかご呼びの登録を行なえる一定時間が確保されている場合において、かご呼びを行なえることをエレベータ利用者に報知する報知部であるスピーカ３１が設けられている点である。スピーカ３１は乗りかご１内に設けられ、信号入出力部１１ａを介して演算処理部１１ｂに接続されている。スピーカ３１からは、「行先階釦を押してください。」等のアナウンスが行なわれる。
【００７４】
このような構成において、第３の実施の形態における図８のフローチャートにおけるステップＳ５０、ステップＳ５１に示したように、かご呼びの自動登録が行われる前の一定時間、自動登録される階以外の階についてかご呼びの登録が可能になった場合には、その旨がスピーカ３１からアナウンスされる。これにより、操作盤８の行先階釦７の操作が有効であることをエレベータ利用者に知らせることができ、乗りかご１内に乗り込んだエレベータ利用者は、自動登録されている階以外の階（但し、かご呼び登録が可能な階に限る）を行先階としてかご呼びの登録をすることができる。
【００７５】
なお、報知部としては、スピーカ３１に代えて表示装置を用いてもよい。
【００７６】
また、本実施の形態では、スピーカ３１を乗りかご１内に設け、かご呼びが自動登録される場合において、自動登録される階以外の階にかご呼びできる場合について説明したが、同様のスピーカをエレベータ乗場に設置してもよい。この場合のスピーカは、乗場呼び自動登録が行なわれる場合において、その自動登録される方向と逆方向への乗場呼びが一定時間可能であることをアナウンスする。
【図面の簡単な説明】
【００７７】
【図１】本発明の第１の実施の形態に係るエレベータ装置の概略を示す模式図である。
【図２】ＩＤタグに記録されている第１情報の構成例である。
【図３】演算処理部で行われる処理を模式的に表わす説明図であり、（ａ）はＩＤタグに記録されている第１情報を示し、（ｂ）はタグリーダ制御装置のＲＡＭに格納されている第１情報と同じ内容の第２情報を示し、（ｃ）は第２情報と関係付けられたエレベータ利用情報を示す。
【図４】タグリーダ制御装置の信号出力部からエレベータ制御装置の信号入出力部に出力される各種の登録許可信号を示す説明図である。
【図５】或るＩＤタグを携帯するエレベータ利用者が、乗りかごを使用して下階から上階へ移動する場合の一連の動作について説明するフローチャートである。
【図６】他のＩＤタグを携帯するエレベータ利用者が、乗りかごを使用して下階から上階へ移動する場合の一連の動作について説明するフローチャートである。
【図７】本発明の第２の実施の形態に係るエレベータ装置の概略を示す模式図である。
【図８】本発明の第３の実施の形態に係るエレベータ装置の一連の動作について説明するフローチャートである。
【図９】本発明の第４の実施の形態に係るエレベータ装置の概略を示す模式図である。
【符号の説明】
【００７８】
１      乗りかご
２      ＩＤタグ（識別媒体）
３ａ、３ｂ、３ｃ、６  タグリーダ（読取装置）
１０ｂ    演算処理部（信号生成部）
１０ｃ    ＲＡＭ（記憶部）
１１      エレベータ制御装置
２１      情報変更・消去部
３１      スピーカ（報知部）
【図１】
2009215008.tif 000003
【図２】
2009215008.tif 000004
【図３】
2009215008.tif 000005
【図４】
2009215008.tif 000006
【図５】
2009215008.tif 000007
【図６】
2009215008.tif 000008
【図７】
2009215008.tif 000009
【図８】
2009215008.tif 000010
【図９】
2009215008.tif 000011